(57)【要約】【課題】太陽光を受光するパネルの下面に風圧が加わることを抑制できる、パネル用架台を提供する。【解決手段】ソーラーパネル２を屋根４上に設置するために、支持部材１３が屋根４上に配置される。ソーラーパネル２は、支持部材１３により、屋根４の上面に対して間隔を空けて平行をなす姿勢で支持される。支持部材１３には、導風部材１４が固定されている。支持部材１３が屋根４上に配置され、ソーラーパネル２が支持部材１３に支持された状態で、導風部材１４は、屋根４とソーラーパネル２の各端縁との間に配設される。また、導風部材１４の表面は、屋根４の上面に対して傾斜しており、その表面に当たる風は、導風部材１４の表面に沿って流れ、ソーラーパネル２の表面上に導かれる。【選択図】図２Ａ
2015096681.tif 000002
【特許請求の範囲】
【請求項１】
太陽光を受光するパネルを屋根上に設置するためのパネル用架台であって、
前記屋根上に配置され、前記パネルを前記屋根の上面に対して間隔を空けて平行をなす姿勢で支持する支持部材と、
前記支持部材に固定されており、前記屋根と前記パネルの端縁の全周との間に配設されて、表面が前記屋根の上面に対して傾斜し、当該表面に当たる風を前記パネルの表面上に導くための導風部材とを含む、パネル用架台。
【請求項２】
前記支持部材は、
前記屋根の上面に沿って第１方向に延び、前記第１方向と直交する第２方向に間隔を空けて配置される複数の第１支持部と、
前記屋根の上面に沿って前記第２方向に延び、前記第１方向に間隔を空けて配置される複数の第２支持部とを備え、
前記導風部材は、両端の前記第１支持部および両端の前記第２支持部の個々に固定されて設けられている、請求項１に記載のパネル用架台。
【請求項３】
前記屋根の棟に対する一方側の第１平部上に位置し、当該第１平部の傾斜方向と交差する方向に延びる立ち上がり部分を有する複数の第１アームと、
前記第１アームの個々に対して前記棟と同方向に延びる回動軸線を中心に回動可能に連結され、前記棟に対する他方側の第２平部上に位置し、当該第２平部の傾斜方向と交差する方向に延びる立ち上がり部分を有する複数の第２アームとをさらに含み、
前記第１支持部は、前記第１平部および前記第２平部上に配置され、それぞれ前記第１アームおよび前記第２アームに連結されている、請求項２に記載のパネル用架台。
【発明の詳細な説明】
【技術分野】
【０００１】
本発明は、太陽光を受光するパネル（ソーラーパネル、太陽熱温水パネルなど）を屋根上に設置するためのパネル用架台に関する。
【背景技術】
【０００２】
近年、環境保護の観点などから、自然エネルギーを利用したクリーンな発電方式の１つである太陽光発電が注目されており、一般の住宅への太陽光発電システムの導入が進んでいる。
【０００３】
住宅用の太陽光発電システムでは、住宅の屋根上にソーラーパネル（太陽電池モジュール）が設置される。たとえば、複数の固定部材を屋根に固定し、複数の縦フレームを屋根の勾配方向に沿わせて固定部材に固定した後、複数の横フレームを縦フレーム上に架設して、横フレーム間にソーラーパネルを取り付けることにより、既設住宅の屋根上にソーラーパネルを設置することができる（特許文献１参照）。
【先行技術文献】
【特許文献】
【０００４】
【特許文献１】特開２００９−９１８１１号公報
【発明の概要】
【発明が解決しようとする課題】
【０００５】
ところが、かかる構造では、屋根とソーラーパネルとの間に隙間が生じるため、その隙間に風が入り込み、ソーラーパネルの下面に風圧が加わる。ソーラーパネルの下面に加わる風圧が大きいと、その風圧により、ソーラーパネルが単独または縦フレームおよび横フレームとともに飛ばされるおそれがある。
【０００６】
本発明の目的は、太陽光を受光するパネルの下面（屋根側の面）に風圧が加わることを抑制できる、パネル用架台を提供することである。
【課題を解決するための手段】
【０００７】
前記の目的を達成するため、本発明に係るパネル用架台は、太陽光を受光するパネルを屋根上に設置するためのパネル用架台であって、屋根上に配置され、パネルを屋根の上面に対して間隔を空けて平行をなす姿勢で支持する支持部材と、支持部材に固定されており、屋根とパネルの端縁の全周との間に配設されて、表面が屋根の上面に対して傾斜し、当該表面に当たる風をパネルの表面上に導くための導風部材とを含む。
【０００８】
この構成によれば、太陽光を受光するパネルを屋根上に設置するために、支持部材が屋根上に配置される。パネルは、支持部材により、屋根の上面に対して間隔を空けて平行をなす姿勢で支持される。支持部材には、導風部材が固定されている。支持部材が屋根上に配置され、パネルが支持部材に支持された状態で、導風部材は、屋根とパネルの各端縁との間に配設される。
【０００９】
導風部材が屋根とパネルの端縁との間に配設されるので、導風部材により、屋根とパネルとの間に風が入ることを抑制することができる。その結果、パネルの下面に風圧が加わることを抑制できる。よって、パネルが単独またはパネル用架台とともに風で飛ばされることを防止できる。
【００１０】
また、導風部材の表面は、屋根の上面に対して傾斜しており、その表面に当たる風は、導風部材の表面に沿って流れ、パネルの表面上に導かれる。これにより、導風部材およびパネルにダウンフォース（屋根に向かう方向の力）が加わる。このダウンフォースは、風が強いほど大きくなる。よって、強風下においても、パネルが単独またはパネル用架台とともに風で飛ばされることを防止できる。
【００１１】
支持部材は、屋根の上面に沿って第１方向に延び、第１方向と直交する第２方向に間隔を空けて配置される複数の第１支持部と、屋根の上面に沿って第２方向に延び、第１方向に間隔を空けて配置される複数の第２支持部とを備えていてもよい。この場合、導風部材は、両端の第１支持部および両端の第２支持部の個々に固定されて設けられるとよい。
【００１２】
この構成により、支持部材が屋根上に配置されて、パネルが支持部材に支持されたときに、導風部材を屋根とパネルの端縁の全周との間に配設することができる。
【００１３】
屋根の棟に対する一方側の第１平部上に位置し、当該第１平部の傾斜方向と交差する方向に延びる立ち上がり部分を有する複数の第１アームと、第１アームの個々に対して棟と同方向に延びる回動軸線を中心に回動可能に連結され、棟に対する他方側の第２平部上に位置し、当該第２平部の傾斜方向と交差する方向に延びる立ち上がり部分を有する複数の第２アームとをさらに含み、第１支持部は、第１平部および第２平部上に配置され、それぞれ第１アームおよび第２アームに連結されていてもよい。
【００１４】
この構成によれば、屋根の棟を挟んだ一方側の第１平部上に、第１アームが配置され、その他方側の第２平部上に、第２アームが配置される。第１アームには、第１平部上に配置される支持部材の第１支持部が連結され、第２アームには、第２平部上に配置される支持部材の第１支持部が連結される。これにより、パネル用架台の両側（棟に対する一方側および他方側）の重量配分を等しくすることができ、パネル用架台の位置が棟と直交する方向にずれにくくすることができる。
【００１５】
また、第１アームおよび第２アームがそれぞれ第１平部および第２平部と交差する方向に延びる立ち上がり部分を有するので、支持部材の第１支持部が棟瓦や棟包み板（棟押さえ板）などに載り上がることを防止できる。その結果、第１支持部をそれぞれ第１平部および第２平部に良好に沿わせることができる。
【００１６】
また、パネル用架台の位置が棟と直交する方向にずれにくく、かつ、導風部材が設けられていることにより、パネルが単独またはパネル用架台とともに風で飛ばされることが防止されるので、パネル用架台を屋根に固定するために、ビスを使用する必要がなく、たとえば、接着剤を用いることができる。その結果、従来行われていたコーキングを省くことができるので、パネルの設置作業に要する時間の短縮を図ることができながら、雨漏りの発生を防止することができる。
【００１７】
また、第１アームおよび第２アームが回動可能に設けられているので、棟瓦や棟包み板の幅に応じて、第１アームおよび第２アームの角度を容易に調整することができる。よって、パネルの設置作業に要する手間をさらに軽減することができ、その設置作業に要する時間をさらに短縮することができる。
【００１８】
パネルは、太陽光を受光して発電するソーラーパネルであってもよい。
【００１９】
また、パネルは、太陽光を受光して温水を生成する太陽熱温水パネルであってもよい。
【発明の効果】
【００２０】
本発明によれば、屋根上で太陽光を受光するパネルの下面に風圧が加わることを抑制できる。また、導風部材により、その表面に当たる風をパネルの表面上に導くことができ、導風部材およびパネルにダウンフォースを加えることができる。その結果、パネルが単独またはパネル用架台とともに風で飛ばされることを防止できる。
【図面の簡単な説明】
【００２１】
【図１Ａ】本発明の一実施形態に係るパネル用架台を用いたソーラーパネルの設置状態を第１平部側から見た斜視図である。
【図１Ｂ】パネル用架台を用いたソーラーパネルの設置状態を第２平部側から見た斜視図である。
【図２Ａ】屋根上のパネル用架台を第１平部側から見た斜視図である。
【図２Ｂ】屋根上のパネル用架台を第２平部側から見た斜視図である。
【図３】パネル用架台の第１アームおよび第２アームを桁行方向の一方側から見た図である。
【図４】パネル用架台の第１アームおよび第２アームを上方から見た図である。
【図５】第１アームと支持部材との接続部分を桁行方向の他方側から見た図である。
【図６】第２アームと支持部材との接続部分を桁行方向の他方側から見た図である。
【図７】パネル用架台の軒側の角部を示す斜視図である。
【図８】本発明の他の実施形態に係るパネル用架台を用いたソーラーパネルの設置状態を示す斜視図である。
【発明を実施するための形態】
【００２２】
以下では、本発明の実施の形態について、添付図面を参照しつつ詳細に説明する。
【００２３】
図１Ａおよび図１Ｂは、本発明の一実施形態に係るパネル用架台１を用いたソーラーパネル２の設置状態を示す斜視図である。
【００２４】
パネル用架台１は、たとえば、既設住宅３の屋根４上にソーラーパネル（太陽電池モジュール）２を設置するために用いられる。
【００２５】
図１Ａおよび図１Ｂには、屋根４の一例として、棟５の両側に平部（流れ）６，７を有する切妻屋根が示されている。しかしながら、屋根４は、切妻屋根に限らず、寄棟屋根であってもよい。
【００２６】
なお、以下の説明において、平部６，７を区別する際には、棟５に対する一方側の平部６を「第１平部６」といい、他方側の平部７を「第２平部７」という。また、棟５と平行な方向を「桁行方向」といい、上下方向および桁行方向と直交する方向を「梁間方向」という。
【００２７】
図２Ａおよび図２Ｂは、屋根４上に設置されたパネル用架台１の斜視図である。
【００２８】
パネル用架台１は、第１アーム１１、第２アーム１２、支持部材１３および導風部材１４を備えている。第１アーム１１、第２アーム１２および支持部材１３は、たとえば、ＺＡＭ（登録商標）材からなる。導風部材１４は、ガルバリウム（登録商標）鋼板からなる。
【００２９】
第１アーム１１は、２個設けられている。２個の第１アーム１１は、第１平部６上において、桁行方向に間隔を空けて配置されている。
【００３０】
第２アーム１２は、各第１アーム１１に対応づけて設けられている。各第２アーム１２は、第２平部７上において、第１アーム１１に対して梁間方向に対向して配置されている。
【００３１】
支持部材１３は、第１平部６および第２平部７上にそれぞれ配置されている。各支持部材１３は、２本の縦支持部２１および３本の横支持部２２を備えている。
【００３２】
２本の縦支持部２１は、桁行方向に互いに間隔を空けて、平部６，７の傾斜方向に互いに平行をなして延びている。各縦支持部２１は、互いに平行をなして対向する１対の対向部分および各対向部分を連結する連結部分を有する断面略コ字状に形成されており、連結部分が２本の縦支持部２１の対向方向の外側に位置するように設けられている。各縦支持部２１の上側の対向部分には、上端部および長手方向の中央部に、それぞれ１対の切込み２３，２４が形成されている。各切込み２３，２４は、縦支持部２１の上側の対向部分を厚さ方向に貫通して形成され、互いに間隔を空けて平行をなして桁行方向に延び、２本の縦支持部２１の対向方向の内側に開放されている。各縦支持部２１は、接着剤により、平部６，７に固定される。
【００３３】
３本の横支持部２２は、それぞれ２本の縦支持部２１の上端部間、中央部間および下端部間に架設されている。各横支持部２２は、互いに平行をなして対向する１対の対向部分および各対向部分を連結する連結部分を有する断面略コ字状に形成されている。上端の横支持部２２は、各対向部分が切込み２３に上方から差し込まれ、その連結部分が縦支持部２１の連結部分に上方から当接している。中央の横支持部２２は、各対向部分が切込み２４に上方から差し込まれ、その連結部分が縦支持部２１の連結部分に上方から当接している。下端の横支持部２２は、連結部分が軒側に位置するように設けられ、上側の対向部分が各縦支持部２１の上側の対向部分に上方から当接している。そして、縦支持部２１と横支持部２２とが重なり合う各部分に、ボルト２５が挿通されることにより、縦支持部２１と横支持部２２とが締結されている。
【００３４】
導風部材１４は、第１平部６および第２平部７上の各支持部材１３の周囲を取り囲むように設けられ、支持部材１３に固定されている。
【００３５】
図３は、パネル用架台１の一部を桁行方向の一方側から見た図である。図４は、パネル用架台１の一部を上方から見た図である。
【００３６】
第１アーム１１は、断面角形の管状に形成されている。第１アーム１１は、図３に示されるように、立ち上がり部分３１および傾斜部分３２を一体的に有している。立ち上がり部分３１は、略上下方向に直線状に延びる。傾斜部分３２は、立ち上がり部分３１の上端から斜め上方に直線状に延びる。
【００３７】
第２アーム１２は、第１アーム１１と同じ材料により形成された断面角形の鋼管からなる。第２アーム１２は、立ち上がり部分３３および傾斜部分３４を一体的に有している。立ち上がり部分３３は、略上下方向に直線状に延びる。傾斜部分３４は、立ち上がり部分３３の上端から斜め上方に直線状に延びる。
【００３８】
第１アーム１１の傾斜部分３２の上端部には、図３および図４に示されるように、略半円板状の連結部３５が傾斜部分３２の延びる方向に延設されている。また、第２アーム１２の傾斜部分３４の上端部には、略半円板状の連結部３６が傾斜部分３４の延びる方向に延設されている。そして、第１アーム１１の連結部３５とその第１アーム１１に対応づけられた第２アーム１２の連結部３６とは、スペーサ３７を挟んで、桁行方向に間隔を空けて対向している。連結部３５，３６には、それぞれボルト挿通孔３８，３９が桁行方向に貫通して形成されている。ボルト挿通孔３８およびボルト挿通孔３９には、連結部３５側からボルト４０が挿通されている。また、スペーサ３７には、桁行方向に貫通する貫通孔が形成され、ボルト４０は、その貫通孔に挿通されている。そして、ボルト４０には、連結部３６側からナット４１が螺合されている。これにより、第１アーム１１および第２アーム１２は、ボルト４０を中心に回動可能に連結されている。
【００３９】
立ち上がり部分３１の上下方向の略中央には、ねじ軸挿通孔７１が梁間方向に貫通して形成されている。また、立ち上がり部分３３の上下方向の略中央には、ねじ軸挿通孔７２が梁間方向に貫通して形成されている。ねじ軸挿通孔７１およびねじ軸挿通孔７２には、ねじ軸７３が挿通されている。ねじ軸７３には、立ち上がり部分３１の両側にナット７４が螺合されるとともに、立ち上がり部分３３の両側にナット７５が螺合されている。
【００４０】
パネル用架台１が屋根４上に設置される際には、第１アーム１１に締結された縦支持部２１が第１平部６上に沿い、第２アーム１２に締結された縦支持部２１が第２平部７上に沿うように、第１アーム１１と第２アーム１２との開き角度が調節される。この調節後、ナット４１が締められて、第１アーム１１と第２アーム１２との開き角度が固定される。そして、ねじ軸７３がねじ軸挿通孔７１，７２に挿通されて、１対のナット７４および１対のナット７５が締められ、１対のナット７４により、ねじ軸７３が第１アーム１１の立ち上がり部分３１に固定されるとともに、１対のナット７５により、ねじ軸７３が第２アーム１２の立ち上がり部分３３に固定される。その結果、第１アーム１１と第２アーム１２とは、ボルト４０およびナット４１による締結部、ねじ軸７３と立ち上がり部分３１との締結部ならびにねじ軸７３と立ち上がり部分３３との締結部の３点で固定される。
【００４１】
図５は、第１アーム１１と支持部材１３との接続部分を桁行方向の他方側から見た図である。
【００４２】
第１平部６上において、各第１アーム１１は、１組のボルト４２およびナット４３ならびにボルト４４により、縦支持部２１と締結されている。具体的に、第１アーム１１の立ち上がり部分３１の下端には、溶接により、矩形板状の接続板部４６が立ち上がり部分３１の下端縁に囲まれる開口を閉塞するように固着されている。接続板部４６は、立ち上がり部分３１から縦支持部２１に沿って延出している。当該延出した部分には、ボルト挿通孔４５が厚さ方向に貫通して形成されている。また、接続板部４６には、立ち上がり部分３１の下方において、ボルト螺合孔４７が貫通して形成されている。そして、縦支持部２１の上部（上面）には、ボルト挿通孔４５およびボルト螺合孔４７に対応して、ボルト挿通孔４８，４９が厚さ方向に貫通して形成されている。ボルト４２がボルト挿通孔４５，４８をこの順に挿通されて、ボルト４２にナット４３が螺合され、ボルト４４がボルト挿通孔４９に挿通されて、ボルト４４の先端部がボルト螺合孔４７に螺合されることにより、第１アーム１１と縦支持部２１とが締結されている。
【００４３】
図６は、第２アーム１２と支持部材１３との接続部分を桁行方向の他方側から見た図である。
【００４４】
第２平部７上において、各第２アーム１２は、１組のボルト５０およびナット５１ならびにボルト５２により、縦支持部２１と締結されている。具体的に、第２アーム１２の立ち上がり部分３３の下端には、溶接により、矩形板状の接続板部５３が立ち上がり部分３３の下端縁に囲まれる開口を閉塞するように固着されている。接続板部５３は、立ち上がり部分３３から縦支持部２１に沿って延出している。当該延出した部分には、ボルト挿通孔５４が厚さ方向に貫通して形成されている。また、接続板部５３には、立ち上がり部分３３の下方において、ボルト螺合孔５５が貫通して形成されている。そして、縦支持部２１の上部（上面）には、ボルト挿通孔５４およびボルト螺合孔５５に対応して、ボルト挿通孔５６，５７が厚さ方向に貫通して形成されている。ボルト５０がボルト挿通孔５４，５６をこの順に挿通されて、ボルト５０にナット５１が螺合され、ボルト５２がボルト挿通孔５７に挿通されて、ボルト５２の先端部がボルト螺合孔５５に螺合されることにより、第２アーム１２と縦支持部２１とが締結されている。
【００４５】
図７は、パネル用架台１の軒側の角部を示す斜視図である。
【００４６】
導風部材１４は、各平部６，７上に、４個ずつ設けられている。各平部６，７上において、４個の導風部材１４は、支持部材１３の外側（以下、単に「外側」という。）に配置され、それぞれ２本の縦支持部２１ならびに縦支持部２１の上端部間および下端部間に架設された横支持部２２に固定されている。
【００４７】
導風部材１４は、同様の構成を有しており、固定部６１および傾斜部６２を一体的に備えている。固定部６１は、矩形板状をなし、一方向に長く延びている。傾斜部６２は、固定部６１の長手方向に沿った一端縁から固定部６１に対して傾斜して延出し、固定部６１から離れるほど長手方向に広がる略台形板状をなしている。
【００４８】
各縦支持部２１の外側に配置された導風部材１４は、固定部６１が縦支持部２１の外側面に当接されて、ボルト６３が固定部６１の外側から固定部６１および縦支持部２１に挿通されることにより、縦支持部２１に固定されている。
【００４９】
各横支持部２２の外側に配置された導風部材１４は、固定部６１が横支持部２２の外側面に当接されて、ボルト６４が固定部６１の外側から固定部６１および横支持部２２に挿通されることにより、横支持部２２に固定されている。
【００５０】
各縦支持部２１に固定された導風部材１４の傾斜部６２の両端部６５は、横支持部２２に外側から重なるように折り曲げられている。これにより、当該両端部６５は、支持部材１３を取り囲む４個の導風部材１４の各間に外側から覆い被さり、その各間を風が通らないようにされている。
【００５１】
以上のように、ソーラーパネル２を屋根４上に設置するために、支持部材１３が屋根４上に配置される。ソーラーパネル２は、支持部材１３により、屋根４の上面に対して間隔を空けて平行をなす姿勢で支持される。支持部材１３には、４個の導風部材１４が固定されている。具体的には、支持部材１３は、屋根４の上面に沿って、その傾斜方向に延び、桁行方向に間隔を空けて配置される複数の縦支持部２１と、屋根４の上面に沿って桁行方向に延び、傾斜方向に間隔を空けて配置される複数の横支持部２２とを備えている。そして、導風部材１４は、両端の縦支持部２１および両端の横支持部２２の個々に固定されている。これにより、支持部材１３が屋根４上に配置されて、ソーラーパネル２が支持部材１３に支持されたときに、導風部材１４は、屋根４とソーラーパネル２の端縁の全周との間に配設される。
【００５２】
導風部材１４が屋根４とソーラーパネル２の端縁の全周との間に配設されるので、各導風部材１４により、屋根４とソーラーパネル２との間に風が入ることを抑制することができる。その結果、ソーラーパネル２の下面に風圧が加わることを抑制できる。よって、ソーラーパネル２が単独またはパネル用架台１とともに風で飛ばされることを防止できる。
【００５３】
また、各導風部材１４の傾斜部６２の表面は、屋根４の上面に対して約４５°の角度で傾斜している。そのため、傾斜部６２の表面に当たる風は、導風部材１４の表面に沿って流れ、ソーラーパネル２の表面上に導かれる。これにより、導風部材１４およびソーラーパネル２にダウンフォース（屋根に向かう方向の力）が加わる。このダウンフォースは、風が強いほど大きくなる。よって、強風下においても、ソーラーパネル２が単独またはパネル用架台１とともに風で飛ばされることを防止できる。
【００５４】
また、前述の構成では、屋根４の棟５を挟んだ一方側の第１平部６上に、第１アーム１１が配置され、その他方側の第２平部７上に、第２アーム１２が配置される。第１アーム１１には、第１平部６上に配置される支持部材１３の縦支持部２１が連結され、第２アーム１２には、第２平部７上に配置される支持部材１３の縦支持部２１が連結される。これにより、パネル用架台１の両側（棟５に対する一方側および他方側）の重量配分を等しくすることができ、パネル用架台１の位置が棟５と直交する方向にずれにくくすることができる。
【００５５】
第１アーム１１および第２アーム１２がそれぞれ上下方向に延びる立ち上がり部分３１，３３を有するので、支持部材１３の縦支持部２１が棟瓦や棟包み板（棟押さえ板）などに載り上がることを防止できる。その結果、縦支持部２１をそれぞれ第１平部６および第２平部７に良好に沿わせることができる。
【００５６】
また、パネル用架台１の位置が梁間方向にずれにくく、かつ、導風部材１４が設けられていることにより、ソーラーパネル２が単独またはパネル用架台１とともに風で飛ばされることが防止されるので、パネル用架台１を屋根４に固定するために、ビスを使用する必要がなく、たとえば、接着剤を用いることができる。その結果、従来行われていたコーキングを省くことができるので、ソーラーパネル２の設置作業に要する時間の短縮を図ることができながら、雨漏りの発生を防止することができる。
【００５７】
また、第１アーム１１および第２アーム１２が回動可能に設けられているので、棟瓦や棟包み板の幅に応じて、第１アーム１１および第２アーム１２の角度を容易に調整することができる。よって、ソーラーパネル２の設置作業に要する手間をさらに軽減することができ、その設置作業に要する時間をさらに短縮することができる。
【００５８】
以上、本発明の一実施形態について説明したが、本発明は、他の形態で実施することもできる。
【００５９】
図８は、本発明の他の実施形態に係るパネル用架台８１を用いたソーラーパネル２の設置状態を示す斜視図である。
【００６０】
図８に示されるパネル用架台８１では、支持部材１３および導風部材１４が備えられ、図２Ａに示される第１アーム１１および第２アーム１２が省略されている。このパネル用架台８１は、ソーラーパネル２を屋根４の平部６，７の一方上のみに設置する場合に用いることができる。また、パネル用架台８１は、ソーラーパネル２を片流れ屋根上に設置する場合やソーラーパネル２を陸屋根上に設置する場合に用いることができる。
【００６１】
パネルの一例として、ソーラーパネル２を取り上げたが、パネルは、太陽光を受光して温水を生成する太陽熱温水パネルであってもよい。また、第１平部６および第２平部７上に、太陽熱温水パネルが設置されてもよいし、第１平部６および第２平部７の一方上に、ソーラーパネル２が設置され、他方上に、太陽熱温水パネルが設置されてもよい。
【００６２】
その他、前述の構成には、特許請求の範囲に記載された事項の範囲で種々の設計変更を施すことが可能である。
【符号の説明】
【００６３】
１        パネル用架台
２        ソーラーパネル（パネル）
４        屋根
５        棟
６        第１平部
７        第２平部
１１      第１アーム
１２      第２アーム
１３      支持部材
１４      導風部材
２１      縦支持部（第１支持部）
２２      横支持部（第２支持部）
３１      立ち上がり部
３３      立ち上がり部
８１      パネル用架台
【図１Ａ】
2015096681.tif 000003
【図１Ｂ】
2015096681.tif 000004
【図２Ａ】
2015096681.tif 000005
【図２Ｂ】
2015096681.tif 000006
【図３】
2015096681.tif 000007
【図４】
2015096681.tif 000008
【図５】
2015096681.tif 000009
【図６】
2015096681.tif 000010
【図７】
2015096681.tif 000011
【図８】
2015096681.tif 000012